(57)【要約】【課題】可視光と赤外光とを共通の開口部から射出させること。【解決手段】透過用光源装置２０は、基板２１１、白色発光ダイオード２２１、赤外発光ダイオード２２２、反射部２３、開口部２４を備えている。白色発光ダイオード２２１を光源とする射出光および赤外発光ダイオード２２２を光源とする射出光はそれぞれ、反射部２３によって反射、拡散され、開口部２４へと導かれる。【選択図】図４
2009037073.tif 000002
【特許請求の範囲】
【請求項１】
光源装置であって、
光を射出するための開口部と、
前記開口部から可視光を射出する可視光発光ダイオードと、
前記開口部から赤外光を射出する赤外光発光ダイオードと
を備える光源装置。
【請求項２】
請求項１に記載の光源装置はさらに、
入射光を前記開口部に向けて反射させる反射部を備え、
前記可視光発光ダイオードおよび前記赤外光発光ダイオードは、射出した前記可視光および前記赤外光がそれぞれ、前記反射部を介して前記開口部から射出されるよう配置されている光源装置。
【請求項３】
請求項１または２に記載の光源装置において、
前記可視光発光ダイオードと前記赤外光発光ダイオードは同一の基板上に備えられている光源装置。
【請求項４】
請求項１または２に記載の光源装置において、
前記可視光発光ダイオードと前記赤外光発光ダイオードは異なる基板上に備えられている光源装置。
【請求項５】
請求項４に記載の光源装置において、
前記可視光発光ダイオードを備える基板と前記赤外光発光ダイオードを備える基板は、前記開口部に対して対称に配置されている光源装置。
【請求項６】
原稿読み取り装置であって、
請求項１から請求項５のいずれかに記載の光源装置と、
原稿の読み取りを実行する原稿読み取り部と、
前記原稿読み取り部、前記可視光および前記赤外光を用いて前記原稿上のノイズを検出するノイズ検出部とを備える原稿読み取り装置。
【請求項７】
請求項６に記載の原稿読み取り装置において、
前記ノイズ検出部は、一度の原稿読み取り処理において、前記ノイズを検出する原稿読み取り装置。
【請求項８】
請求項６または７に記載の原稿読み取り装置はさらに、
前記ノイズ検出処理の結果に基づいて、前記ノイズの影響を除去した画像データを生成する画像データ生成部を備える原稿読み取り装置。
【発明の詳細な説明】
【技術分野】
【０００１】
本発明は、発光ダイオードを光源として有する光源装置およびその光源装置を備える原稿読み取り装置に関する。
【背景技術】
【０００２】
原稿読み取り装置、すなわち、スキャナにおいて、ネガフィルムやポジフィルムといった透過原稿を読み取る原稿読み取り装置が実用化されている。透過原稿を読み取る原稿読み取り装置では、赤外光を用いて透過原稿を読み取り、ノイズ源の位置を特定し、可視光により読み取った透過原稿の画像データを補修ことで透過原稿上の傷やゴミといったノイズ源の影響を除去している（例えば、特許文献１参照）。
【特許文献１】特開２００５−１３０１２３号公報
【０００３】
しかしながら、従来の原稿読み取り装置では、可視光光源と赤外光光源とは異なる開口部から光を射出するように配置されていた。すなわち、可視光光源の光路と赤外光光源の光路とが異なっていた。したがって、赤外光を用いた透過原稿の読み取りと、可視光を用いた透過原稿の読み取りを別々に行わなければならなかった。また、各光源に合わせて開口部を２つ備えなければならないので、光源装置の小型化が容易でなかった。
【発明の開示】
【発明が解決しようとする課題】
【０００４】
本発明は、上記課題を解決するためになされたものであり、可視光と赤外光とを共通の開口部から射出させることを目的とする。
【課題を解決するための手段】
【０００５】
上記課題の少なくとも一部を解決するために、本発明は以下の種々の態様を採る。
【０００６】
本発明の第１の態様は、光源装置を提供する。本発明の第１の態様に係る光源装置は、光を射出するための開口部と、前記開口部から可視光を射出する可視光発光ダイオードと、前記開口部から赤外光を射出する赤外光発光ダイオードとを備える。
【０００７】
本発明の第１の態様に係る光源装置によれば、可視光と赤外光とを共通の開口部から射出させることができる。また、光源装置を小型化することができる。
【０００８】
本発明の第１の態様に係る光源装置はさらに、入射光を前記開口部に向けて反射させる反射部を備え、前記可視光発光ダイオードおよび前記赤外光発光ダイオードは、射出した前記可視光および前記赤外光がそれぞれ、前記反射部を介して前記開口部から射出されるよう配置されていても良い。この場合には、開口部から反射光を射出することができるので、光量の均一化を図ることができる。
【０００９】
本発明の第１の態様に係る光源装置において、前記可視光発光ダイオードと前記赤外光発光ダイオードは同一の基板上に備えられていても良い。この場合には、光源装置に対する基板、すなわち、光源の実装を簡易化することができる。
【００１０】
本発明の第１の態様に係る光源装置において、前記可視光発光ダイオードと前記赤外光発光ダイオードは異なる基板上に備えられていても良い。この場合には、光源装置の構成に合わせて可視光発光ダイオードを搭載した基板および赤外光発光ダイオードを搭載した基板をそれぞれ実装することができる。
【００１１】
本発明の第１の態様に係る光源装置において、前記可視光発光ダイオードを備える基板と前記赤外光発光ダイオードを備える基板は、前記開口部に対して対称に配置されていても良い。この場合には、可視光および赤外光の波長に合わせた光路設計を行うことができる。
【００１２】
本発明の第２の態様は、原稿読み取り装置を提供する。本発明の第２の態様に係る原稿読み取り装置は、本発明の第１の態様に係る光源装置と、原稿の読み取りを実行する原稿読み取り部と、前記原稿読み取り部、前記可視光および前記赤外光を用いて前記原稿上のノイズを検出するノイズ検出部とを備える。
【００１３】
本発明の第２の態様に係る原稿読み取り装置によれば、可視光と赤外光とを共通の開口部から射出させることができるので、原稿読み取り装置を小型化することができる。
【００１４】
本発明の第２の態様に係る原稿読み取り装置において、前記ノイズ検出部は、一度の原稿読み取り処理において、前記ノイズを検出しても良い。この場合には、ノイズ検出に要する時間を短縮することができる。
【００１５】
本発明の第２の態様に係る原稿読み取り装置はさらに、前記ノイズ検出処理の結果に基づいて、前記ノイズの影響を除去した画像データを生成する画像データ生成部を備えても良い。この場合には、ノイズの影響が除去または低減された画像データを得ることができる。また、ノイズの影響が除去または低減された画像データを得るために要する時間を短縮することができる。
【発明を実施するための最良の形態】
【００１６】
以下、本発明に係る光源装置および原稿読み取り装置について、図面を参照しつつ、実施例に基づいて説明する。
【００１７】
・第１の実施例：
・原稿読み取り装置の構成
図１は本実施例に係る原稿読み取り装置の概略構成を模式的に示す説明図である。図２は本実施例に係る原稿読み取り装置が備える制御部の機能構成を示す説明図である。本実施例に係る原稿読み取り装置１０は、反射用光源１２、原稿載置ガラス１１１、原稿カバー１１２、走査ユニット１３、可動ミラーユニット１４、光学レンズユニット１５、撮像ユニット１６、透過用光源装置２０、制御装置３０を備えている。
【００１８】
透過用光源装置２０は、ネガフィルム、ポジフィルムといった透過原稿に対して用いられる光源装置である。透過用光源装置２０には、可視光光源と赤外光光源とが備えられており、両光源は、透過原稿に対して同一の開口部から光を射出する。透過用光源装置２０の詳細な構成は後述する。透過用光源装置２０は原稿カバー１１２内に、反射用光源１２は走査ユニット１３内に配置されている。透過用光源装置２０は、図示しない駆動機構によって、走査ユニット１３と連動して、原稿カバー１１２内において矢印方向（副走査方向）に移動することができる。
【００１９】
走査ユニット１３には、反射用光源１１２の他に反射鏡１３１が備えられている。走査ユニット１３は、図示しない駆動機構によって、矢印方向に移動して、原稿載置ガラス１２１上に載置されている原稿４０を走査して、原稿４０の読み取り処理を実行する。
【００２０】
可動ミラーユニット１４は反射鏡１４１、１４２を備えている。可動ミラーユニット１４もまた、走査ユニット１３と連動して、図示しない駆動機構によって、原稿読み取りの際には矢印方向へ移動する。駆動機構としては、例えば、タイミングベルトを用いた周知の駆動機構を用いることができる。
【００２１】
光学レンズユニット１５は、１または複数のレンズを備え、可動ミラーユニット１４から入力された光を撮像ユニット１６上に集光させる。本実施例における光学レンズユニット１５は、撮像ユニット１６上における赤外光の焦点位置と可視光の焦点位置のずれを低減させる焦点性能を有している。すなわち、可視光と、可視光よりも波長の長い赤外光とを用いた場合に、波長の相違による撮像ユニット１６上における焦点位置のずれを抑制するレンズ性能を有している。
【００２２】
撮像ユニット１６は、受光量に応じた電圧値を出力する半導体素子であり、一般的に、入射光を電荷に変換する受光素子と、受光素子において発生した電荷を転送するための素子を備える。撮像ユニット１６としては、例えば、転送回路に電荷結合素子（ＣＣＤ）を用いたＣＣＤセンサ、相補形金属酸化膜半導体（ＣＭＯＳ）を用いたＣＭＯＳセンサを用いることができる。本実施例では、撮像ユニット１６に複数の受光素子が水平方向に配列されており、各受光素子に対しては、Ｒ、Ｇ、Ｂのカラーフィルタが装着されている。
【００２３】
制御装置３０は、透過用光源装置２０における可視光光源、赤外光光源のオン・オフ、反射用光源１２のオン・オフ、走査ユニット１３および可動ミラーユニット１４の動作を制御する。制御装置３０は、撮像ユニット１６を介して読み取った原稿４０の画像データを取得する。
【００２４】
制御装置３０は、図２に示すように、双方向バス３４によって相互に接続されている中央処理装置（ＣＰＵ）３１、メモリ３２、入出力インターフェース３３を備えている。入出力インターフェース３３は、透過用光源装置２０、反射用光源１２、走査ユニット１３、可動ミラーユニット１４および撮像ユニット１６と接続されている。ＣＰＵ３１は、メモリ３２に格納されている各種プログラム、モジュールを実行する。メモリ３２は、例えば、揮発性、不揮発性の記憶素子、ハードディスクドライブといった大容量記憶装置を含む。撮像ユニット１６によって読み取られ、生成された画像データはメモリ１２に記録される。メモリ３２は、透過原稿上のノイズを検出するための赤外線走査実行モジュールＭ１を備えている。ＣＰＵ３１が赤外線走査実行モジュールＭ１を実行することによって、ノイズ検出部が実現される。
【００２５】
ＣＰＵ３１は、赤外線走査実行モジュールＭ１を実行することによって、透過原稿上のノイズを検出し、修正する。具体的には、赤外光光源からの赤外光によって得られた画像データを用いて傷、汚れといったノイズ位置を特定し、特定したノイズ位置に対して補正処理を施すことによって可視光光源からの可視光によって得られた画像データを補修する。画像データの補修は、例えば、ノイズ特定箇所の周囲の画素値を用いてノイズ特定箇所の画素値を置換する処理、ノイズ特定箇所の画素を注目画素とする平滑化処理によって実行される。この結果、ノイズが除去された、あるいは、ノイズが低減された画像データを得ることができる。なお、画像データの補修は、ノイズの影響が除去または低減された画像データの生成ということも可能であり、ＣＰＵ３１が赤外線走査実行モジュールＭ１を実行することによって、画像データ生成部が実現される。
【００２６】
本実施例では、後述するように、赤外光光源と可視光光源とが同一の開口部を使用する透過用光源装置２０を用いるので、赤外光による画像データの生成と可視光による画像データの生成を同一走査パスにおいて実行することができる。すなわち、本実施例における光学レンズユニット１５は、赤外光を用いた場合と可視光を用いた場合における、撮像ユニット１６上における焦点位置のずれを低減する特性を有している。しがたって、例えば、可視光光源を点灯し、赤外光光源を消灯して透過原稿を１ライン分読み取り、続いて、可視光光源を消灯し、赤外光光源を点灯して透過原稿の同一１ライン分を読み取ることを繰り返し実行することによって、同一読み取りパス（走査パス）において、赤外光による画像データの生成と可視光による画像データの生成を行うことができる。この結果、ノイズ検出、ノイズ除去処理に要する時間を短縮することができる。なお、赤外線光源を用いた透過原稿の走査では、例えば、Ｇフィルタが装着された受光素子を用いて、透過光量の検出（透過原稿の読み取り）が実行される。
【００２７】
・透過用光源装置２０の構成：
図３は第１の実施例に係る透過用光源装置の外観構成の一部を模式的に示す説明図である。図４は第１の実施例に係る透過用光源装置を図３の４−４切断線にて切断した断面の概略構成を模式的に示す説明図である。図５は本実施例に係る透過用光源装置が備える光源の概略構成を示す説明図である。
【００２８】
透過用光源装置２０は、図３に示すように、平面視において略長方形形状を有している。すなわち、原稿読み取り装置１０の主走査方向に延伸する形状を有している。透過用光源装置２０は、図４に示すように、光源２１、反射部２３および開口部２４を備え、制御装置３０と制御信号線を介して接続されている。透過用光源装置２０は、光源２１から射出された光を、開口部２４から対象物に対して照射（射出）する。
【００２９】
本実施例の光源２１は、基板２１１、可視光光源としての白色発光ダイオード２２１（可視光発光ダイオードとも言う。）および赤外光光源としての赤外発光ダイオード２２２（赤外光発光ダイオードとも言う。）を備えている。基板２１１の一端には、電流回路と接続するためのコネクタ２１２が備えられている。図４の例では、長尺状の基板２１１の長手方向に沿って所定間隔で白色発光ダイオード２２１と赤外発光ダイオード２２２とが交互に基板２１１上に実装されている。既述の通り、各発光ダイオード２２１、２２２は側面発光型の発光ダイオードであり、発光面が基板２１１の長辺近傍に位置するように基板２１１の中心線に対してオフセットして配置されている。ここで、本実施例では、長尺状の基板２１１に対する発光ダイオード２２１、２２２の実装を容易にするため、各発光ダイオード２２１、２２２の実装時には複数の基板２１１が一体化された原基板が用いられる。したがって、各基板２１１の切り離し時に発光ダイオード２２１、２２２が損傷を受けないよう、発光ダイオード２２１、２２２は、基板２１１の外縁部上には配置されていない。
【００３０】
基板２１１における各発光ダイオード２２１、２２２の実装面は、反射面としても作用するように白色に塗られている。なお、基板２１１の実装面の色は白色に限られず、銀色、緑色等の色であっても良い。
【００３１】
本実施例における光源２１の回路構成について説明する。白色発光ダイオード２２１および赤外発光ダイオード２２２はそれぞれ直列に接続されている。直列接続されている白色発光ダイオード２２１のグループおよび赤外発光ダイオード２２２のグループには、コネクタ２３を介して、それぞれ別個の定電流源が接続されている。したがって、１つの定電流源を用いる場合における、電流制限抵抗を用いた各グループに対する個別の電流調整が不要となる。また、電流制限抵抗を別途要しないので、電流制限抵抗を実装することによる発光ダイオードの点灯不良、すなわち、基板に対する電流制限抵抗の実装（半田付け）の不具合に起因する発光ダイオードの点灯不良を抑制または防止することができる。
【００３２】
反射部２３は、透過用光源装置２０の筐体を形成すると共に、光源２１から射出された射出光を予め予定されている開口部２４へと導く反射板として機能する。具体的には、反射部２３は、白色発光ダイオード２２１を光源とする射出光および赤外発光ダイオード２２２を光源とする射出光の双方を反射、拡散によって開口部２４の方向へ収束させる。すなわち、本実施例において、開口部２４は、白色発光ダイオード２２１および赤外発光ダイオード２２２の双方に共通して用いられる開口部である。
【００３３】
本実施例では、光路ＬＰには、反射光等の間接光のみを入射させると共に、光源２１のメインビームの一次反射光が光路ＬＰに入射しないよう光源２１を反射部２３に配置することによって、点光源である発光ダイオード光源に起因する光量分布の局在化の抑制、光量分布の均一化が図られている。なお、一次反射光とは、反射部２３によって反射された光源２１からの直接光の反射光を意味する。
【００３４】
以上説明した第１の実施例に係る原稿読み取り装置１０および透過用光源装置２０によれば、白色発光ダイオード２２１からの射出光と赤外発光ダイオード２２２からの射出光の双方が、同一の開口部２４を介して、透過用光源装置２０の外部に射出される。したがって、１回の原稿読み取り走査によって、赤外光による画像データの生成と可視光による画像データの生成を行うことができる。この結果、赤外光を用いた透過原稿上のノイズ検出およびノイズ抑制またはノイズ除去処理に要する時間を低減することができる。
【００３５】
第１の実施例に係る透過用光源装置２０によれば、白色発光ダイオード光源および赤外発光ダイオード光源に対して、共通の開口部２４を用いることができるので、透過用光源装置２０を小型化することができる。したがって、原稿読み取り装置１０の小型化に寄与することができる。
【００３６】
さらに、第１の実施例に係る透過用光源装置２０によれば、白色発光ダイオード２２１および赤外発光ダイオード２２２が同一の基板２１１上に実装されているので、１の光源２１を用いて、赤外光による画像データの生成と可視光による画像データの生成を行うことができる。したがって、透過用光源装置２０をさらに小型化することが可能となり、原稿読み取り装置１０の更なる小型化に寄与することができる。
【００３７】
以下、本実施例に係る原稿読み取り装置１０に適用可能な第２および第３の実施例に係る透過用光源装置について説明する。
【００３８】
・第２の実施例：
・透過用光源装置２０ａの構成：
図６は第２の実施例に係る透過用光源装置の概略構成を模式的に示す説明図である。図７は第２の実施例に係る透過用光源装置が備える光源の概略構成を示す説明図である。
【００３９】
第２の実施例に係る透過用光源装置２０ａは、第１の実施例に係る透過用光源装置２０と同様に、原稿読み取り装置１０の主走査方向に延伸する長尺形状体である。第２の実施例に係る透過用光源装置２０ａは、白色発光ダイオード光源２１ａと赤外発光ダイオード光源２１ｂとを別々に備えている点において、第１の実施例に係る透過用光源装置２０と異なる。以下の説明では、第１の実施例に係る透過用光源装置２０と異なる点を中心に説明する。
【００４０】
第２の実施例に係る透過用光源装置２０ａは、図６に示すように、白色発光ダイオード光源２１ａ、赤外発光ダイオード光源２１ｂ、反射部２３ａおよび開口部２４ａを備え、制御装置３０と制御信号線を介して接続されている。透過用光源装置２０ａは、各光源２１ａ、２１ｂから射出された光を、共通の開口部２４ａを介して対象物に対して照射（射出）する。
【００４１】
図７に示すように、本実施例の白色発光ダイオード光源２１ａは、基板２１１ａ、可視光光源としての白色発光ダイオード２２１を備えている。赤外発光ダイオード光源２１ｂは、基板２１１ｂ、赤外光光源としての赤外発光ダイオード２２２を備えている。本実施例において白色発光ダイオード光源２１ａと赤外発光ダイオード光源２１ｂとは、開口部２４ａに対して対称に配置されている。各基板２１１ａ、２１１ｂの一端には、電流回路と接続するためのコネクタ２１２が備えられている。長尺状の各基板２１１ａ、２１１ｂには、それぞれ、その長手方向に沿って所定間隔で白色発光ダイオード２２１または赤外発光ダイオード２２２が実装されている。既述の通り、各発光ダイオード２２１、２２２は側面発光型の発光ダイオードであり、発光面が基板２１１ａ、２１１ｂの長辺近傍に位置するように基板２１１ａ、２１１ｂの中心線に対してオフセットして配置されている。
【００４２】
基板２１１ａ、２１１ｂにおける各発光ダイオード２２１、２２２の実装面は、反射面としても作用するように白色に塗られている。なお、基板２１１ａ、２１１ｂの実装面の色は白色に限られず、銀色、緑色等の色であっても良い。
【００４３】
本実施例における各光源２１ａ、２１ｂにおいて、白色発光ダイオード２２１および赤外発光ダイオード２２２はそれぞれ直列に接続されている。各光源２１ａ、２１ｂの白色発光ダイオード２２１および赤外発光ダイオード２２２には、コネクタ２３を介して、それぞれ別個の定電流源が接続されている。
【００４４】
反射部２３ａは、透過用光源装置２０ａの筐体を形成すると共に、光源２１ａ、２１ｂから射出された射出光を共通の開口部２４ａへと導く反射板として機能する。具体的には、反射部２３ａは、白色発光ダイオード光源２１ａからの射出光および赤外発光ダイオード光源２１ｂからの射出光の双方を反射、拡散によって開口部２４の方向へ収束させる。
【００４５】
本実施例では、光路ＬＰには、反射光等の間接光のみを入射させると共に、各光源２１ａ、２１ｂのメインビームの一次反射光が光路ＬＰに入射しないよう各光源２１ａ、２１ｂを反射部２３ａに配置することによって、点光源である発光ダイオード光源に起因する光量分布の局在化の抑制、光量分布の均一化が図られている。
【００４６】
以上説明した第２の実施例に係る透過用光源装置２０ａによれば、白色発光ダイオード光源２１ａからの射出光と赤外発光ダイオード光源２１ｂからの射出光の双方が、同一の開口部２４ａを介して、透過用光源装置２０ａの外部に射出される。したがって、１回の原稿読み取り走査において、白色発光ダイオード光源２１ａと、赤外発光ダイオード光源２１ｂとを、選択的に点灯することによって、赤外光による画像データの生成と可視光による画像データの生成を行うことができる。この結果、赤外光を用いた透過原稿上のノイズ検出およびノイズ抑制またはノイズ除去処理に要する時間を低減することができる。なお、ノイズ検出およびノイズ低減または除去処理については第１の実施例において説明したので説明を省略する。
【００４７】
第２の実施例に係る透過用光源装置２０ａによっても、白色発光ダイオード光源２１ａおよび赤外発光ダイオード光源２１ｂに対して、共通の開口部２４ａを用いることができるので、透過用光源装置２０ａを小型化することができる。したがって、原稿読み取り装置１０の小型化に寄与することができる。
【００４８】
・第３の実施例：
・透過用光源装置２０ｃの構成：
図８は第３の実施例に係る透過用光源装置の概略構成を模式的に示す説明図である。図９は第３の実施例に係る透過用光源装置が備える光源の概略構成を示す説明図である。
【００４９】
第３の実施例に係る透過用光源装置２０ｃは、第１の実施例に係る透過用光源装置２０と同様に、原稿読み取り装置１０の主走査方向に延伸する長尺形状体である。第３の実施例に係る透過用光源装置２０ｃは、白色発光ダイオード２２１ｃと赤外発光ダイオード２２１ｃとを基板上２１１ｃに並列して備えている点において、第１の実施例に係る透過用光源装置２０と異なる。以下の説明では、第１の実施例に係る透過用光源装置２０と異なる点を中心に説明する。
【００５０】
第３の実施例に係る透過用光源装置２０ｃは、図８に示すように、光源２１ｃ、反射部２３ｃおよび開口部２４ｃを備え、制御装置３０と制御信号線を介して接続されている。透過用光源装置２０ｃは、光源２１ｃにおける、白色発光ダイオード２２１ｃと赤外発光ダイオード２２１ｃから射出された光を、共通の開口部２４ｃを介して対象物に対して照射（射出）する。
【００５１】
図９に示すように、本実施例の光源２１ｃは、基板２１１ｃ、可視光光源としての白色発光ダイオード２２１ｃ、赤外光光源としての赤外発光ダイオード２２２ｃを備えている。基板２１１ｃの一端には、電流回路と接続するためのコネクタ２１２が備えられている。長尺状の基板２１１ｃには、その長手方向に沿って所定間隔で白色発光ダイオード２２１ｃおよび赤外発光ダイオード２２２ｃが直列に実装されている。本実施例における、各発光ダイオード２２１ｃ、２２２ｃは平面発光型の発光ダイオードであり、図８において、上方に光を射出する。
【００５２】
基板２１１ｃにおける各発光ダイオード２２１ｃ、２２２ｃの実装面は、反射面としても作用するように白色に塗られている。なお、基板２１１ｃの実装面の色は白色に限られず、銀色、緑色等の色であっても良い。
【００５３】
本実施例における光源２１ｃにおいて、白色発光ダイオード２２１ｃおよび赤外発光ダイオード２２２ｃはそれぞれ直列に接続されている。基板２１１ｃ上の白色発光ダイオード２２１ｃおよび赤外発光ダイオード２２２ｃには、コネクタ２３を介して、それぞれ別個の定電流源が接続されている。
【００５４】
反射部２３ｃは、透過用光源装置２０ｃの筐体を形成すると共に、光源２１ｃから射出された射出光を共通の開口部２４ｃへと導く反射板として機能する。具体的には、反射部２３ｃは、白色発光ダイオード２２１ｃからの射出光および赤外発光ダイオード光源２２２ｃからの射出光の双方を反射、拡散によって開口部２４の方向へ収束させる。
【００５５】
本実施例では、光路ＬＰには、反射光等の間接光のみを入射させると共に、光源２１ｃのメインビームの一次反射光が光路ＬＰに入射しないよう光源２１ｃを反射部２３ｃに配置することによって、点光源である発光ダイオード光源に起因する光量分布の局在化の抑制、光量分布の均一化が図られている。
【００５６】
以上説明した第３の実施例に係る透過用光源装置２０ｃによれば、白色発光ダイオード２２１ｃからの射出光と赤外発光ダイオード２２２ｃからの射出光の双方が、同一の開口部２４ｃを介して、透過用光源装置２０ｃの外部に射出される。したがって、１回の原稿読み取り走査において、白色発光ダイオード２２１ｃと、赤外発光ダイオード２２２ｃとを、選択的に点灯することによって、赤外光による画像データの生成と可視光による画像データの生成を行うことができる。この結果、赤外光を用いた透過原稿上のノイズ検出およびノイズ抑制またはノイズ除去処理に要する時間を低減することができる。なお、ノイズ検出およびノイズ低減または除去処理については第１の実施例において説明したので説明を省略する。
【００５７】
第３の実施例に係る透過用光源装置２０ｃによっても、白色発光ダイオード２２１ｃおよび赤外発光ダイオード２２２ｃに対して、共通の開口部２４ｃを用いることができるので、透過用光源装置２０ｃを小型化することができる。したがって、原稿読み取り装置１０の小型化に寄与することができる。
【００５８】
・その他の実施例：
（１）第１および第２の実施例では、基板２１１、２１１ａ上に一列に並ぶ発光ダイオード２２１、２２２を光源２１、２１ａ、２１ｂの一例として説明したが、各発光ダイオード２２１、２２２は２列以上の複数列であってもよく、あるいは、ブロック状に固まりをなして配置されていてもよい。また、第３の実施例において、各発光ダイオード２２１、２２２がそれぞれ複数列配置されていても良い。いずれの場合にも、各発光ダイオード２２１、２２２からの間接射出光が共通の開口部２４、２４ａ、２４ｃを介して透過原稿等の対象物に射出されれば良い。
【００５９】
（２）上記各実施例では、白色の発光ダイオード２２１を可視光光源として用いているが、例えば、赤色、緑色、青色の発光ダイオードを可視光光源として用いても良い。
【００６０】
（３）第１の実施例に係る原稿読み取り装置１０では、走査ユニット１３が移動することによって原稿４０の読み取りが行われているが、固定されている走査ユニット上を原稿１０が移動しても良い。すなわち、原稿と走査ユニット（読み取り部）とが相対的に移動すれば良い。また、原稿とは、文書、画像その他、読み取りの対象となる対象を意味する。
【００６１】
（４）上記実施例では、透過用光源装置２０、２０ａ、２０ｃが原稿読み取り装置１０に適用される例を説明したが、この他にも、ファクシミリ、複写機、複合機といった、透過用光源装置２０、２０ａ、２０ｃを用いることによって、透過原稿を読み取り可能な種々の装置に用いることができる。
【００６２】
（５）第１の実施例では、焦点性能の高いレンズユニットを用いたが、これに代えて、通常のレンズユニットを用いると共に、レンズユニットと撮像ユニットとの間に可動式の焦点位置調整用のフィルタ、例えば、ガラス板を配置しても良い。この場合には、透過用光源装置２０の小型化、原稿読み取り装置１０の小型化を図ることができる。また、可視光光源を用いた画像データの生成および赤外光光源を用いた画像データの生成のタイミングに合わせて、フィルタを光路に配置、光路から除去させることによって、１回の原稿読み取り走査において、可視光光源を用いた画像データの生成および赤外光光源を用いた画像データの生成を実行することができる。
【００６３】
（６）上記各実施例では、開口部２４、２４ａ、２４ｃから間接光を射出する構成を備えているが、例えば、可視光および赤外光の少なくとも一方の光路に拡散フィルタを配置し、開口部２４、２４ａ、２４ｃから直接光を射出する構成としても良い。この場合には、光源装置２０、２０ａ、２０ｃの内部または外部に拡散フィルタ等の光を拡散させるための部材を配置することによって、光量の均一化を図ることができる。また、この構成においては反射部を備えなくても良い。この構成例においても、可視光光源と赤外光光源に対して共通の開口部を用いることができる点に変わりはない。
【００６４】
（７）上記第２の実施例では、白色発光ダイオード光源２１ａと赤外発光ダイオード光源２１ｂとを開口部２４ａに対して対称に備えているが、開口部２４ａに対して、白色発光ダイオード光源２１ａと赤外発光ダイオード光源２１ｂとを同一の側に配置しても良い。この場合には、例えば、白色発光ダイオード光源２１ａと赤外発光ダイオード光源２１ｂとをタンデム状に配置すれば良い。
【００６５】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【図面の簡単な説明】
【００６６】
【図１】第１の実施例に係る原稿読み取り装置の概略構成を模式的に示す説明図である。
【図２】第１の実施例に係る原稿読み取り装置が備える制御部の機能構成を示す説明図である。
【図３】第１の実施例に係る透過用光源装置の外観構成の一部を模式的に示す説明図である。
【図４】第１の実施例に係る透過用光源装置を図３の４−４切断線にて切断した断面の概略構成を模式的に示す説明図である。
【図５】第１の実施例に係る透過用光源装置が備える光源の概略構成を示す説明図である。
【図６】第２の実施例に係る透過用光源装置の概略構成を模式的に示す説明図である。
【図７】第２の実施例に係る透過用光源装置が備える光源の概略構成を示す説明図である。
【図８】第３の実施例に係る透過用光源装置の概略構成を模式的に示す説明図である。
【図９】第３の実施例に係る透過用光源装置が備える光源の概略構成を示す説明図である。
【符号の説明】
【００６７】
１０…原稿読み取り装置
１２…反射用光源
１１１…原稿載置ガラス
１１２…原稿カバー
１３…走査ユニット
１３１…反射鏡
１４…可動ミラーユニット
１４１、１４２…反射鏡
１５…レンズユニット
１６…撮像ユニット
２０、２０ａ、２０ｃ…光源装置
２１、２１ｃ…光源
２１ａ…白色発光ダイオード光源
２１ｂ…赤外発光ダイオード光源
２１１、２１１ａ、２１１ｂ、２１１ｃ…基板
２２１、２２１ｃ…白色発光ダイオード
２２２、２２２ｃ…赤外発光ダイオード
２３、２３ａ、２３ｃ…反射部
２３…コネクタ
２４、２４ａ、２４ｃ…開口部
３０…制御回路
３１…中央処理装置（ＣＰＵ）
３２…メモリ
３３…入出力インターフェース
３４…双方向バス
Ｍ１…赤外線走査実行モジュール
ＬＰ…光路
【図１】
2009037073.tif 000003
【図２】
2009037073.tif 000004
【図３】
2009037073.tif 000005
【図４】
2009037073.tif 000006
【図５】
2009037073.tif 000007
【図６】
2009037073.tif 000008
【図７】
2009037073.tif 000009
【図８】
2009037073.tif 000010
【図９】
2009037073.tif 000011